(57)【要約】【課題】メモ画像の記録及び再生に好適なモードを有し、メモ画像の記録及び再生時の操作性を向上した撮像装置を提供する。【解決手段】撮像装置（１００）は動作モードの１つとしてメモモードを含む。メモモードは、ユーザにより撮像指示がなされたときに、撮像した画像データを記録媒体内の特定フォルダへ記録するメモ撮影モードと、ユーザにより再生指示がなされたときに、特定フォルダに格納されている画像データを読み出して再生するメモ再生モードとを有する。制御手段（９）は、モード設定手段（１１）でメモモードが選択されたときに、特定フォルダ（メモフォルダ）に画像データ（メモ画像）が格納されている場合、撮像装置をメモ再生モードに移行し、特定フォルダに画像データが格納されていない場合、撮像装置をメモ撮影モードに移行する。【選択図】図１
2008187226.tif 000002
【特許請求の範囲】
【請求項１】
複数の動作モードで画像の記録、再生が可能な撮像装置であって、
（ａ）動作モードを選択するためのモード設定手段と、
被写体像を撮像して画像データを生成し、生成された画像データを記録媒体に格納する撮像手段と、
前記モード設定手段で選択された動作モードに応じて前記撮像装置の動作を制御する制御手段とを備え、
（ｂ）前記複数の動作モードはメモモードを含み、該メモモードは、ユーザにより撮像指示がなされたときに、撮像した画像データを前記記録媒体内の特定フォルダへ記録するメモ撮影モードと、ユーザにより再生指示がなされたときに、前記特定フォルダに格納されている画像データを読み出して再生するメモ再生モードとを有し、
（ｃ）前記制御手段は、前記モード設定手段で前記メモモードが選択されたときに、
前記特定フォルダに画像データが格納されている場合、前記撮像装置を前記メモ再生モードに移行し、
前記特定フォルダに画像データが格納されていない場合、前記撮像装置を前記メモ撮影モードに移行する、
ことを特徴とする撮像装置。
【請求項２】
操作情報及び／または画像を表示する表示手段をさらに備え、
前記制御手段は、前記モード設定手段で前記メモモードが選択されたときに、前記特定フォルダに格納されている画像データの有無に応じて前記表示手段で表示する設定画面または設定画面の状態を変更する、ことを特徴とする請求項１記載の撮像装置。
【請求項３】
前記制御手段は、前記メモモードにおいてシャッタ釦が押下されたときに、前記撮像装置をメモ撮影モードに移行する、ことを特徴とする請求項１記載の撮像装置。
【請求項４】
前記メモモードでは、マクロ撮影用の制御パラメータが設定されている、ことを特徴とする請求項１記載の撮像装置。
【請求項５】
前記メモ撮影モードでは、撮像された画像は所定の画像サイズで記録される、ことを特徴とする請求項１記載の撮像装置。
【請求項６】
前記メモモードにおいて設定可能なセルフタイマ設定の数は、前記メモモード以外の動作モードにおいて設定可能なセルフタイマ設定の数よりも少ない、ことを特徴とする請求項１記載の撮像装置。
【請求項７】
早送り操作がなされた場合、前記メモモードでは、表示される画像と、その画像の格納順序を示す番号とが順次早送りされて表示される一方、通常の再生モードでは、画像の格納順序を示す番号のみが早送りされて表示される、ことを特徴とする請求項１記載の撮像装置。
【請求項８】
前記記録媒体は前記撮像装置に内蔵された記録媒体である、ことを特徴とする請求項１記載の撮像装置。
【請求項９】
操作情報及び／または画像を表示する表示手段をさらに備え、
前記表示手段は、実行中の動作モードを示すアイコンを表示し、前記アイコンの画像パターンは実行中の動作モードの種類を示し、前記アイコンの色は実行中の動作モードの詳細な状態を示す、ことを特徴とする請求項１記載の撮像装置。
【請求項１０】
画像を表示する表示手段と、
画像の表示時の拡大倍率と、拡大中心位置とを設定するズーム設定手段と、
画像に対するズーム倍率とズーム中心位置に関するズーム情報を管理する管理ファイルをさらに備え、
前記制御手段は、画像再生時に所定操作がなされたときに、前記管理ファイルから前記画像に対するズーム情報を読み出し、読み出したズーム情報にしたがい前記画像を拡大表示する、  前記管理ファイルは前記特定フォルダに格納される、ことを特徴とする請求項１記載の撮像装置。
【請求項１１】
前記管理ファイルは前記特定フォルダに格納される、ことを特徴とする請求項１０記載の撮像装置。
【請求項１２】
前記特定フォルダに格納される画像データには所定のルールにしたがいファイル名が付与される、ことを特徴とする請求項１記載の撮像装置。
【請求項１３】
画像を拡大して表示するズーム機能を有した撮像装置であって、
画像を表示する表示手段と、
画像の表示時の拡大倍率と、拡大中心位置とを設定するズーム設定手段と、
前記設定された拡大倍率と拡大中心位置に関する情報を管理する管理ファイルと、
画像の再生時に所定操作がなされたときに、前記管理ファイルから前記画像に対する拡大倍率と拡大中心位置に関する情報を読み出し、読み出した情報にしたがい前記画像を拡大し、前記表示手段上に表示させる制御手段と
を備えたことを特徴とする撮像装置。
【請求項１４】
前記管理ファイルは、画像の拡大倍率と拡大中心位置とを画像毎に管理する、ことを特徴とする請求項１３記載の撮像装置。
【請求項１５】
前記所定操作はズーム機能を要求する操作である、ことを特徴とする請求項１３記載の撮像装置。
【請求項１６】
前記ズーム設定手段による画像の表示時の拡大倍率と拡大中心位置の設定に引き続いて所定ボタンが押下されたときに、前記拡大倍率と拡大中心位置に関する情報が前記管理ファイルに登録される、ことを特徴とする請求項１３記載の撮像装置。
【発明の詳細な説明】
【技術分野】
【０００１】
本発明は、被写体からの光学情報を画像データとして記録する撮像装置に関する。
【背景技術】
【０００２】
近年、デジタルカメラは高解像度化、高機能化が進み、また価格も低廉化していることから、情報機器の１つとして普及してきている。デジタルカメラは手軽に情報を記録できることから、写真（画像）を楽しむために画像を撮像するという本来の用途以外に、地図や時刻表等の画像情報をメモとして利用するために記録するという用途にもしばしば利用される。
【０００３】
写真を楽しむために撮像された画像は、後に印刷装置での印刷に供されたり、表示装置に表示され閲覧に供されたりする機会が多い。これに対して、メモとして記録された画像は、デジタルカメラにおいてユーザの閲覧に供される場合が多い。このため、デジタルカメラにおいて、メモとして記録された画像は、ユーザが所望のタイミングにおいて再生指示を行った場合に、即座に検索され、再生（表示）されることが望まれる。
【０００４】
特許文献１はメモモードを有する銀塩カメラを開示している。特許文献１のカメラは露光モードとメモモードを有し、露光モードでは、フィルム露光の他に、撮像素子で撮像した画像データを第一の画像メモリへ記憶する。メモモード時には、フィルムへの露光を行わずに、撮像画像データを第二の画像メモリへ記憶する。すなわち、特許文献１のメモモードでは、フィルムへの写真撮影は行わないが、撮像画像データは第二の画像メモリに記録し、後に、撮像画像データを所望のタイミングで再生することを可能としている。
【特許文献１】特開平１１−２５８６８７号公報
【発明の開示】
【発明が解決しようとする課題】
【０００５】
前述のように、メモとして記録された画像は、ユーザが閲覧を希望するタイミングにおいて即座に検索でき、再生され得ることが要望される。このため、メモとして撮像される画像と、写真を楽しむために撮像される画像とはデジタルカメラにおいて区別して管理されることが望ましい。
【０００６】
特許文献１は銀塩カメラに関し、メモリモードでは、フィルムへの撮影は行わず、画像データをメモリに記録する。特許文献１のカメラでは、画像を電子データとして記録するモードはメモモードしか有していない。このため、特許文献１のカメラを使用して、ユーザが画像データを記録した場合、ユーザがメモとしての利用するために撮像した画像データと、写真として楽しむために撮像した画像データとが区別して管理されない。よって、特許文献１のカメラでは、メモとして記録された画像を、ユーザの所望のタイミングにおいて即座に検索し、再生することは不可能である。
【０００７】
本発明は上記課題を解決すべくなされたものであり、その目的とするところは、メモ画像の記録及び再生に好適なモードを有し、メモ画像の記録及び再生時の操作性を向上したデジタルカメラ等の撮像装置を提供することにある。
【課題を解決するための手段】
【０００８】
本発明に係る第１の撮像装置は、複数の動作モードで画像の記録、再生が可能な撮像装置であって、動作モードを選択するためのモード設定手段と、被写体像を撮像して画像データを生成し、生成された画像データを記録媒体に格納する撮像手段と、モード設定手段で選択された動作モードに応じて撮像装置の動作を制御する制御手段とを備える。複数の動作モードはメモモードを含み、メモモードは、ユーザにより撮像指示がなされたときに、撮像した画像データを記録媒体内の特定フォルダへ記録するメモ撮影モードと、ユーザにより再生指示がなされたときに、特定フォルダに格納されている画像データを読み出して再生するメモ再生モードとを有する。制御手段は、モード設定手段でメモモードが選択されたときに、特定フォルダに画像データが格納されている場合、撮像装置をメモ再生モードに移行し、特定フォルダに画像データが格納されていない場合、撮像装置をメモ撮影モードに移行する。
【０００９】
本発明に係る第２の撮像装置は、画像を拡大して表示するズーム機能を有した撮像装置であって、画像を表示する表示手段と、画像毎に、画像の表示時の拡大倍率と、拡大中心位置とを設定する設定手段と、設定された拡大倍率と拡大中心位置に関する情報を管理する管理ファイルと、画像の再生時に所定操作がなされたときに、管理ファイルから画像に対する拡大倍率と拡大中心位置に関する情報を読み出し、読み出した情報にしたがい前記画像を拡大し、表示手段上に表示させる制御手段とを備える。
【発明の効果】
【００１０】
本発明によれば、メモ画像を他の画像と区別して特定フォルダ（メモフォルダ）に格納し、メモ再生モードでの再生時には、特定フォルダからメモ画像を読み出し、再生する。このように、メモ画像を通常の画像と区別して管理するため、メモ画像の迅速な再生処理が可能となる。また、メモ画像が特定フォルダにないときは、撮像動作に移行することから、ユーザは表示されるメモ画像がないときにメモ再生モードを終了するための操作を敢えて行う必要がなく、ユーザの負担を軽減できる。
【００１１】
また、本発明によれば、画像毎に事前に拡大倍率、拡大位置を設定しておき、画像再生時にその設定にしたがい画像を拡大表示できる。これにより、ユーザは、メモ画像のような、テキスト情報を正確に読み取る必要のある画像の再生時において、いちいちズームを設定する必要がなくなり、ユーザの操作性を向上できる。
【発明を実施するための最良の形態】
【００１２】
以下、添付の図面を参照して本発明の実施の形態を説明する。
【００１３】
１  撮像装置の構成
図１に撮像装置の構成を示す。撮像装置１００は、レンズ１と、光学情報を電気信号に変換するＣＣＤ３と、ＣＣＤ３からのアナログ信号をデジタル信号に変換するＡ／Ｄ変換器５と、Ａ／Ｄ変換器５からのデジタル信号が示す画像データに対して所定の信号処理を行う画像処理部７と、デジタルカメラ全体の動作制御を行うマイコン９とを備える。さらに、撮像装置１００は、ユーザが操作を行う操作部１１と、液晶モニタ１３と、液晶モニタ１３を制御するＬＣＤコントローラ１４と、記録媒体であるメモリカード２００を挿入するカードスロット１５と、音声信号を入力するマイク１７と、作業記憶領域であるバッファメモリ１９と、フラッシュメモリ２１とを備える。
【００１４】
ＣＣＤ３は被写体の光学情報を電気信号に変換し画像信号を生成する。生成された画像信号はＡ／Ｄ変換器５でデジタル信号に変換され、画像処理部７に入力される。画像処理部７は、Ａ／Ｄ変換器５から出力された画像データに対して、ガンマ補正等の前処理、ＹＣ変換、画像圧縮、画像伸張、電子ズーム処理等の所定のデータ処理を行う。画像処理部７で処理される画像データは、処理中バッファメモリ１９に一時的に格納され、画像処理部７で処理が完了後、最終的にはメモリカード２００に記録される。
【００１５】
撮像装置１００で撮像された画像データは通常はメモリカード２００に記録されるが、メモリカード２００が撮像装置１００に挿入されていない状態で画像が撮像された場合や、後述のメモモードで画像が撮像された場合、撮像された画像がフラッシュメモリ２１に格納される。
【００１６】
操作部１１はユーザが種々の操作を行うための各種操作ボタンを含む。図２を参照し、操作部１１の各種操作ボタンを説明する。同図に示すように、操作部１１は、シャッタボタン１１ａ、ズームレバー１１ｂ、撮影モードを選択するためのモードダイアル１１ｃ、種々の設定項目を指定するための方向ボタン１１ｄ、メニュー表示／解除および選択を決定するための決定ボタン１１ｅ、及び画面に表示されるアイコン等の表示／解除のための表示切り替えボタン１１ｆを含む。
【００１７】
図３は撮像装置１００のシャッタボタン１１ａ及びモードダイアル１１ｃ近傍の様子を示した図である。本実施形態の撮像装置１００は、動作モードとして、動画撮影モード、メモモード、静止画撮影モード、再生モードが選択可能となっている。動画撮影モードは動画を撮影するためのモードであり、静止画撮影モードは静止画を撮影するためのモードである。再生モードは、メモモード以外で撮像した画像を再生するためのモードである。メモモードは、メモとして利用したい画像データの記録、再生のためのモードである。メモモードの詳細についは後述する。
【００１８】
撮像装置１００には、デジタルスチルカメラ、デジタルビデオカメラ、カメラ機能付携帯端末が含まれる。
【００１９】
１−１  メモリカード内のディレクトリ構成
本実施形態の撮像装置１００のフラッシュメモリ２１内のディレクトリ構成について図４を参照して説明する。
【００２０】
フラッシュメモリ２１において画像データはＤＣＦ（Design rule for Camera File system）規格にしたがい記録される。ＤＣＦ規格によれば、ルート（root）ディレクトリの下に、画像ファイルを格納するＤＣＩＭフォルダと、画像ファイルに対する管理ファイルを格納するＭＩＳＣフォルダとが存在する。図４の例では、ＤＣＩＭフォルダの下の１００＿ＰＡＮＡフォルダ内に３つの画像ファイル（P1000001.JPG、P1000002.JPG、P1000004.JPG）が格納され、１０１＿ＰＡＮＡフォルダ内に２つの画像ファイル（P1010001.JPG、P1010003.JPG）が格納されている。
【００２１】
さらに、ルート（root）ディレクトリの下にメモフォルダとしてＰＲＩＶＡＴＥ１フォルダが設けられている。このメモフォルダ（ＰＲＩＶＡＴＥ１フォルダ）は、メモモードで撮像された画像データ及び管理ファイルを格納するために設けられた特定のフォルダである。メモフォルダには、メモモードで撮像された画像ファイル（MEM00001.JPG等）と、ターゲットズーム用の管理ファイル（ZOOMMING.TXT）（詳細は後述）とが格納されている。なお、「＊．ＪＰＧ」はＪＰＥＧ圧縮形式の静止画像ファイルであり、「＊．ＭＯＶ」はＪＰＥＧ圧縮形式の静止画像に音声データを付加したファイルである。
【００２２】
以下、メモモードで撮像された画像ファイルを「メモ画像」という。メモモードで撮像動作が実行された場合、撮像された画像はメモフォルダに記録される。また、メモモードで再生動作が実行された場合、メモフォルダ内の画像が読み出されて再生される。このように、本実施形態では、フラッシュメモリ２１に対してメモ画像の記録、再生が行われるが、メモリカード２００に対してメモ画像の記録、再生が行われるようにしてもよい。この場合、メモリカード２００においてメモフォルダを設ける必要がある。
【００２３】
１−２  メモモード
メモモードについて説明する。メモモードは、メモ画像を再生するための動作モードであるメモ再生モードと、メモ画像を撮像するためのメモ撮影モードという２つのサブ動作モードを含む。
【００２４】
メモ再生モードで、ユーザから再生指示を受けると、フラッシュメモリ２１においてメモモード用に設けられた特定のフォルダである「メモフォルダ」からメモ画像が読み出されて再生される。
【００２５】
メモ撮影モードで、ユーザから撮像指示を受けると、撮像した画像がメモフォルダに格納される。メモ撮影モードでは、マクロ撮影に適した撮影パラメータ（例えば、オートフォーカスの検知範囲）が設定されている。これは、ユーザがメモ画像として撮影する被写体としては、時刻表、地図、電話帳等の比較的近接した状態で撮影されるものが想定されるからである。マクロ撮影に適した撮影パラメータを事前に設定しておくことで、手元の資料（電話帳など）を容易に撮影することが可能となる。
【００２６】
また、メモ撮影モードで撮影可能な画像サイズは、所定の画像サイズ（例えば、１００万画素や２００万画素といった小さなサイズ）に制限されている。これは、メモ画像は高い画質が要求されないことや、フラッシュメモリ２１内にできるだけ多くのメモ画像を記録できるようにするためである。
【００２７】
メモ撮影モードにおいて設定できるセルフタイマの設定時間の数は、通常の撮影モードの場合よりも少なくする。また、メモ撮影モードにおいて利用可能な設定時間も短い時間のものにする。例えば、メモ撮影モードでは、セルフタイマの設定時間を２秒だけにする。これに対して、通常の撮影モードでは２秒、５秒、１０秒といった種々の設定時間でセルフタイマ設定を可能とする。メモモードでは主に手振れ防止のためにセルフタイマを使えるようにしておけば十分であるため、使わない選択肢を予め省くことで、操作性を向上させている。
【００２８】
２  撮像装置の動作
以下、メモモードにおける撮像装置１００の撮像／再生動作を説明する。図５に、撮像装置１００のメモモードにおける動作のフローチャートを示す。図５に示す処理はマイコン９により実行される。
【００２９】
ユーザがモードダイアル１１ｃを操作することにより撮像装置がメモモードに設定されると（Ｓ１１）、マイコン９は、撮像装置の設定が、メモモード移行時にメモモード用初期画面を表示するように設定されているか否かを確認する（Ｓ１２）。メモモード移行時に初期設定画面を表示するように設定されている場合、メモフォルダ（図４の”ＰＲＩＶＡＴＥ１”フォルダ）内に格納されているメモ画像があるか否かを確認する（Ｓ１３）。メモフォルダ内にメモ画像が格納されている場合、メモ再生モードの選択が可能な状態にして初期設定画面を表示する（Ｓ１４）。メモフォルダ内にメモ画像が格納されていない場合、メモ再生モードの選択を不可能な状態にして初期設定画面を表示する（Ｓ１５）。図６に、初期設定画面の例を示す。図６において、メモ再生モードの選択が可能な状態とは、「メモを見る」が選択可能になっている状態をいう。図６の画面で、「メモを見る」が選択され、決定ボタン１１ｅが押下された場合、メモ再生動作が実行され、一方、「メモを撮る」が選択され、決定ボタン１１ｅが押下された場合、メモ撮影動作が実行される。
【００３０】
その後、ユーザにより初期設定画面上で、「メモを撮る」が選択された場合、すなわち、メモ撮影モードが選択された場合（Ｓ１６でＹＥＳ）、メモ撮影モードに移行する。一方、「メモを見る」が選択された場合、すなわち、メモ再生モードが選択された場合（Ｓ１６でＮＯ）、メモ再生モードに移行する。
【００３１】
なお、オートパワーセーブモードにより長時間の撮像装置の不使用によりスリープ状態に移行した後、スリープ状態から復帰したときも上記と同様の動作を行う。
【００３２】
２−１  メモモード時の動作切替
メモモードにおける動作切替について説明する。図６に示す初期設定画面上でユーザにより「メモを見る」が選択された場合、メモ再生モードに移行し、メモ画像を再生する画面３０２が表示される。ここで決定ボタン１１ｅを押下すると、図７に示すメモ再生モードの設定画面３０１が液晶モニタ１３上に表示される。設定画面３０１では、所定の機能を実行するためのいくつかの選択項目が表示される。「メモ撮影へ移動」は、メモ撮影モードへ移行するための選択項目であり、「ズームマーク解除」はターゲットズーム設定を解除するための選択項目である。「アフレコ」は画像に対してアフレコするための選択項目である。「コピー」はメモ画像をメモリカード２００へコピー（この処理の詳細は後述）を行うための選択項目である。「メモモード初期画面」は、モードダイアル１１ｃにおいてメモ選択時に図６に示す初期設定画面を表示するかどうかを決定するための選択項目である。
【００３３】
この設定画面３０１上で、「メモ撮影へ移動」が選択された状態で右向きの方向ボタン１１ｄが押下された場合、液晶モニタ１３上に画面３０４が表示される。画面３０４には、レンズを介してＣＣＤ３上に撮像された被写体（本例では、時刻表）の画像がスルー画像として表示されている。この状態でシャッタボタン１１ａが押下されると、画面３０４に表示されている被写体の画像がメモフォルダに記録される。なお、画面３０４において、メモ撮影モードであることを示すアイコン３０６ｂが表示されている。また、メモ再生モードへ移行するために必要な操作をガイドするアイコン３０８が表示されている。アイコン３０８は、移行先のモードを示すテキスト部分３０８ａと、必要な操作ボタンを示す画像部分３０８ｂとで構成される。
【００３４】
また、画面３０４において決定ボタン１１ｅを押下すると、メモ撮影モードの設定画面３０３が表示される。さらに、設定画面３０３において「メモ再生へ移動」選択時に決定ボタン１１ｅが押下されると、メモ再生モードに移行し、画面３０２が液晶モニタ１３上に表示される。画面３０２には、フラッシュメモリ２１のメモフォルダ内に格納されているメモ画像（本例では、電話帳）が表示される。画面３０２において、メモ再生モードであることを示すアイコン３０６ａが表示されている。また、アイコン３０７は、メモ撮影モードへ移行するために必要な操作をガイドするアイコンである。アイコン３０７は、移行先のモードを示すテキスト部分３０７ａと、操作ボタンを示す画像部分３０７ｂとで構成される。
【００３５】
また、図６に示す初期設定画面上でユーザにより「メモを撮る」が選択された場合、メモ撮影モードに移行し、図７に示すメモ撮影モードの液晶モニタ１３上に画面３０４が表示される。さらに、決定ボタン１１ｅを押下すると、設定画面３０３が液晶モニタ１３上に表示される。設定画面３０３において、「メモ再生へ移動」は、メモ再生モードへ移行するための選択項目であり、「記録画素数」は記録画像の画素数（画像サイズ）を設定するための選択項目である。「音声記録」は音声を記録するための選択項目である。「時計設定」は、現在の日付、時刻を設定するための選択項目である。
【００３６】
この設定画面３０３上で、「メモ再生へ移動」が選択された状態で右向きの方向ボタン１１ｄが押下された場合、メモ画像を表示する画面３０２が表示される。また、設定画面３０３上で、決定ボタン１１ｅが押下された場合、スルー画像が表示される画面３０４に切り替わる。
【００３７】
また、画面３０４において決定ボタン１１ｅが押下されると、メモ撮影モードの設定画面３０３に移行し、「メモ再生へ移動」が選択されている状態で右向きの方向ボタン１１ｄが押下されると、メモ再生画面３０２に移行する。
【００３８】
さらに、メモ再生画面３０２において、メモ撮影モードへ移行するために必要な操作をガイドするアイコン３０７で示すように、シャッタボタン１１ａを押下するとメモ撮影画面３０２へ移行する。一方、メモ撮影画面３０４において、メモ再生モードへ移行するために必要な操作をガイドするアイコン３０８で示すように、下向きの方向ボタン１１ｄを押下することによりメモ再生画面３０２へ移行することもできる。
【００３９】
以上のように本実施形態のメモモードでは、設定画面を介さず、押下される操作ボタンに応じて簡易に動作が切替えられるようになっている。
【００４０】
なお、画面３０２におけるアイコン３０６ａと、画面３０４におけるアイコン３０６ｂとはそれぞれ、メモモードにおける再生動作と撮像動作を示すアイコンである。ユーザはこれらのアイコンを参照することで、現在の動作モードを識別できる。両アイコン３０６ａ及び３０６ｂは同じ画像パターンを有するが、色が異なる。すなわち、アイコンの画像パターンはメモモードであることを示し、アイコンの色はさらにメモモードにおける再生モードか撮像モードかを示している。このように１つのアイコンで動作モードの種類とその状態（サブモードの種類）の識別を可能としている。
【００４１】
さらに、メモ再生画面３０２におけるメモ撮影モードへ移行するために必要な操作をガイドするアイコン３０８およびメモ撮影画面３０４におけるメモ再生モードへ移行するために必要な操作をガイドするアイコン３０７は、表示切り替えボタン１１ｆにより表示させたり表示を解除したりすることができる。さらに表示切り替えボタン１１ｆを押下することによりモードアイコン、ターゲットズームアイコン等の不要なアイコンの表示を解除するようにしてもよい。
【００４２】
以上のようにすることで、メモ画像を撮影する場合もしくはメモ画像を閲覧する際に不要な表示を極力無くし、メモ画像の撮影や閲覧を容易にすることができる。
【００４３】
２−２  メモ撮影モード時の動作
図８のフローチャートを参照して、撮像装置１００のメモ撮影モードでの撮像動作について説明する。
【００４４】
メモ撮影モードが選択されると、液晶モニタ１３上にスルー画像が表示される（Ｓ３１）。その状態でシャッタボタン１１ａが押下されると（Ｓ３２）、ＣＣＤ３上で画像が撮像される（Ｓ３３）。撮像された画像データは画像処理部７により所定のサイズにリサイズされる（Ｓ３４）。これはメモモードで記録される画像のサイズは所定の画素数（例えば、１００万画素や２００万画素といった小さな画素数）に設定されているからである。
【００４５】
その後、リサイズ後の画像データが圧縮され（Ｓ３５）、圧縮された画像データに対してファイル名が付与される（Ｓ３６）。なお、メモ画像に付与されるファイル名は、メモ画像であることが特定できるようなファイル名に設定される。その後、画像データをＥｘｉｆフォーマットにしたがい属性情報等を付加して画像ファイルを生成する（Ｓ３７）。生成した画像ファイルをフラッシュメモリ２１内のメモフォルダに格納する（Ｓ３８）。
【００４６】
最後に、メモ画像のフラッシュメモリ２１への記録可能枚数を算出する（Ｓ３９）。メモ画像の記録可能枚数はフラッシュメモリ２１の空き容量に基づき算出し、算出した値はフラッシュメモリ２１内に格納する。
【００４７】
以上のようにして、メモモードで撮影されたメモ画像はメモフォルダに格納される。
【００４８】
２−３  メモ再生モード時の動作
２−３−１  基本再生動作
画像再生時に方向ボタン１１ｄが押下されると、液晶モニタ１３上に表示される画像が順送りまたは逆送りされる。例えば、右向き方向ボタンを押下すると、表示画像が順送りされ、左向き方向ボタンが押下されると、表示画像は逆送りされる。特に、メモモードにおける再生動作では、方向ボタン１１ｄの長押し（一定時間以上継続したボタンの押下）されると、表示画像とともに表示画像の格納順を示す番号が順に送られる。したがって、方向ボタン１１ｄの長押しという操作によりスライドショー機能を簡易に実現できる。これに対して、通常の再生モードでは、方向ボタン１１ｄが長押しされた場合、画像は変更されずに、画像ファイルの格納順を示す番号のみが変更される。そして、方向ボタン１１ｄの押下を解除した時に、そのときに表示されている番号に対応した画像が表示される。このように動作させる理由は、メモ画像は、早く送ることよりも一枚ずつ確かめながら送りたいという要望があるからである。
【００４９】
図９のフローチャートを参照してメモ再生モード時の再生動作について説明する。
フラッシュメモリ２１のメモフォルダから、前回に撮像された画像または再生された画像を読み出し、液晶モニタ１３に表示する（Ｓ５１）。なお、前回に撮像された画像または再生された画像がともに存在するときは、前回に撮像された画像が前回に再生された画像よりも優先して表示される。
【００５０】
ユーザの画像の送り操作にしたがいメモフォルダ内の画像を読み出して表示する（Ｓ５２、Ｓ５３）。その際、画像とともに画像の格納順を示す番号も合わせて表示する（Ｓ５４）。
【００５１】
次に、ターゲットズームが設定されているか否かを判断する（Ｓ５５）。ターゲットズームの詳細については後述する。ターゲットズームが設定されていれば、ターゲットズーム用アイコンとズーム中心位置マークとを表示する（Ｓ５６）。ターゲットズーム用アイコンとズーム中心位置マークについては後述する。なお、ターゲットズーム用アイコンと、ズーム中心位置マークとは、設定により表示されないようにしてもよい。
【００５２】
その後、画像送り操作が所定時間以上継続しているか否か、すなわち、方向ボタン１１ｄの長押しされているか否かを判断する（Ｓ５７）。画像送り操作が所定時間以上継続している場合、すなわち、方向ボタン１１ｄが長押しされている場合は、押下されている方向ボタン１１ｄにしたがいメモフォルダ内の次の画像または前の画像を表示する（Ｓ５３）。
【００５３】
以上のようにして、メモ再生モードでの再生動作時にメモフォルダ内のメモ画像が再生される。
【００５４】
２−３−２  ターゲットズーム
ターゲットズームとは、画像に対して、予め、ズーム位置とズーム倍率を登録しておくことにより、簡単な操作（例えば、拡大操作）で直ぐに所望の箇所の拡大し、閲覧することを可能とする機能である。ターゲットズームは画像毎に設定可能である。また、ターゲットズームはメモ画像に限らず、撮像装置１００により再生可能な全ての画像に対して機能する。メモ画像は拡大して閲覧する機会が多いため、特にメモ画像に対してターゲットズームは有効となる。
【００５５】
図１０は、ターゲットズームが設定されたメモ画像の表示例を示した図である。画面３１１は、ターゲットズームが設定されたメモ画像が読み出されて、表示されたときの画面の様子を示す。ここでは一例として、メモ画像を2倍に拡大した場合の中央にターゲットズームを設定していることとする。画面３１１において、アイコン３２０は、その画像にターゲットズームが設定されていることを示すアイコンである。画像の中央付近に表示されているマークＭは、設定されているズームの中心位置を示すマーク（ズーム中心位置マーク）である。画面３１３は画面３１１の画像を２倍に拡大した画像を表している。ズームレバー１１ｂの操作に応じて、画面３１１や画面３１３に示すように表示画像のターゲットズーム倍率が変更される。
【００５６】
さらに、マークＭは、ターゲットズームの設定されている位置に表示されるが、一定時間表示した後、表示を消すようにしてもよい。こうすることでメモ画像をより詳細に閲覧することが可能になる。また、マークＭおよびアイコン３２０は、ズームマーク解除の際、マーク解除対象になるメモ画像を決定することを容易にする。
【００５７】
図１１は、メモ再生モードでの再生動作時におけるターゲットズームの設定動作を説明したフローチャートである。このフローチャートを参照してターゲットズームの設定動作について説明する。
【００５８】
メモモードでの再生動作時にメモ画像が表示された状態（Ｓ７１）において、ズームレバー１１ｂによりズーム操作がなされると（Ｓ７２）、元のメモ画像の中心を中心として、ズームレバー１１ｂの位置に応じて変更された倍率で拡大されたズーム画像が液晶モニタ１３に表示される（Ｓ７３）。
【００５９】
その後、ユーザにより方向ボタン１１ｄが操作されることで、表示の中心位置すなわちズームの中心位置が変更される（Ｓ７４）。ユーザにより決定ボタン１１ｅが押下されると（Ｓ７５）、そのときの表示の中心位置（すなわちズーム中心位置）、ズーム倍率、メモ画像ファイルのファイル名の情報がターゲットズーム用の管理ファイルに登録される（Ｓ７６）。ターゲットズーム用の管理ファイルは、登録時に存在しない場合は、新たに作成され、登録時に既に存在する場合は、更新される。
【００６０】
図１２に、ターゲットズーム機能に使用される管理ファイルの構成例を示す。ターゲットズーム用管理ファイルは、メモ画像のファイル名と、ズーム中心位置と、ズーム倍率とを対応付けて管理する。ターゲットズーム用管理ファイルは、メモ画像と同じメモフォルダに格納される。これにより、ターゲットズーム設定時やターゲットズーム再生時に容易に管理ファイルを検索できる。
【００６１】
図１３は、ターゲットズーム設定時の画像表示の具体例を示した図である。メモモードでの再生動作時に、画面３３１のようにメモ画像が表示されている場合において、ズームレバー１１ｂによりズーム操作がなされると、画面３３２、画面３３３のように、ズームレバー１１ｂ位置に応じた倍率で拡大された画像が表示される。
【００６２】
画面３３１、３３２、３３３においてターゲットズーム用アイコンが表示されていないことから、メモ画像にはターゲットズームが設定されていないことがわかる。画面３３２の状態で、決定ボタン１１ｅが押下されると、メモ画像にターゲットズームが設定される。すなわち、そのときのメモ画像の中心位置、ズーム倍率、メモ画像のファイル名がターゲットズーム用の管理ファイルに新規に登録される。同時に、画面３３４に示すように、ターゲットズーム用アイコン３２０とズーム中心位置マークＭが表示される。
【００６３】
その後、画面３３４において方向ボタン１１ｄを操作し、表示の中心を移動させると、画面３３５になる。画面３３５の状態で決定ボタン１１ｅが押下されると、そのときの画像の状態に基づきターゲットズーム用の管理ファイルが更新され、画面３３６の表示となる。
【００６４】
以上のようにしてターゲットズームが設定された画像の再生時において、ズームレバーが操作されたときに、その画像に対するターゲットズームの設定にしたがい画像が拡大され、表示される。
【００６５】
以上のように、ターゲットズームの新規の設定と更新とは同じ操作で可能となる。また、本実施形態では、ターゲットズーム設定動作の開始を特定せず、一連のズーム再生動作においてズーム倍率、ズーム位置を設定した上で決定ボタン１１ｅを押下することにより、ターゲットズームの設定を完了する構成とした。しかし、これに限定されず、ターゲットズーム設定動作に入る旨を示す操作を要する構成にしてもよい。
【００６６】
なお、以上の例では、ターゲットズーム機能をメモ画像に対して機能させる例を説明したが、ターゲットズームはメモ画像以外の画像に対しても有効に機能する。
【００６７】
２−４  コピーによるメモ画像の生成
本実施形態の撮像装置１００は、メモリカード２００に格納されている画像を、フラッシュメモリ２１内のメモフォルダへコピーしてメモ画像とすることができる。
【００６８】
図１４のフローチャートを参照し、コピーによるメモ画像の生成動作について説明する。まず、変換対象の画像を液晶モニタ１３に表示させる（Ｓ９１）。ユーザにより、メモ画像への変換指示の操作がなされると（Ｓ９２）、その変換対象の画像がメモ画像への変換が可能である種類か否かを判断する（Ｓ９３）。撮像装置１００では事前にメモ画像への変換が可能である画像の種類を制限している。例えば、動画はメモ画像への変換を禁止してもよい。これによりメモフォルダ内の容量を節約できる。
【００６９】
メモ画像への変換が可能であれば、メモ画像に適した所定サイズへリサイズ処理を行う（Ｓ９４）。通常フラッシュメモリ２１は記憶容量が小さく、記憶領域の使用量を節約するためである。但し、リサイズ処理は必ずしも実行する必要はない。この場合、リサイズ処理により画像が縮小され、メモ画像の情報が読み取りにくくなることを防止できる。
【００７０】
さらに、変換対象画像のファイル名をメモ画像に適したファイル名に変更（リネイム処理）する（Ｓ９５）。本例では”ＭＥＭＯ”で始まるファイル名にする。これにより、メモフォルダ内のファイル管理を容易にできる。最後に、画像データをメモリカード２００からフラッシュメモリ２１のメモフォルダへコピーする（Ｓ９６）。
【００７１】
以上のようにして、メモリカード２００からフラッシュメモリ２１のメモフォルダへ画像をコピーすることで、メモ画像を生成することができる。これにより、例えば、メモリカード２００に事前にインターネット等から所望の画像をダウンロードしておき、これをメモフォルダへコピーすることで、ダウンロードした画像を撮像装置１００において閲覧できるようになる。
【００７２】
なお、逆にメモフォルダからメモリカード２００に画像をコピーできるようにしてもよい。この場合、リサイズ処理は必要ないが、リネイム処理は必要である。
【００７３】
また、フラッシュメモリ２１とメモフォルダ間の画像のコピーまたは移動を禁止するのが好ましい。フラッシュメモリ２１の記憶容量の節約のためである。
【００７４】
２−５  メモ画像の削除
フラッシュメモリ２１内のデータを削除する場合、フラッシュメモリ２１内にメモ画像データがあるか否かを確認する。フラッシュメモリ２１内にメモ画像データがある場合、「メモ画像を除く全ての画像を削除するか否か」を確認する。フラッシュメモリ２１内にメモ画像データがない場合、「全ての画像を削除してもよいか否か」の確認をする。誤って、メモ画像を削除してしまうことを防止するためである。
【００７５】
なお、ターゲットズームが設定されたメモ画像を削除する場合、管理ファイルの更新も行う必要がある。管理ファイルが増大し、煩雑になることを防止するためである。また、メモモードにおいて、再生動作中に、メモ画像を全て削除する操作をした後は、自動的に撮像動作に移行するようにしてもよい。
【産業上の利用可能性】
【００７６】
本発明によれば、メモ画像の記録及び再生時の操作性を向上できるため、画像をメモとして記録し利用可能なモード（メモモード）を設けたデジタルカメラ等の撮像装置に有用である。
【図面の簡単な説明】
【００７７】
【図１】本発明に係る撮像装置の構成例を示す図
【図２】撮像装置の背面図を示す図
【図３】撮像装置のシャッタボタン近傍の操作系を示す図
【図４】フラッシュメモリのディレクトリ構成を示す図
【図５】撮像装置におけるメモモード移行時の動作を示すフローチャート
【図６】メモモードの初期設定画面を示す図
【図７】メモモードにおける動作切り替えを説明した図
【図８】メモモードにおける撮像動作を示すフローチャート
【図９】メモモードにおける再生動作を示すフローチャート
【図１０】ターゲットズーム設定時の画面表示を説明した図
【図１１】ターゲットズーム設定動作を示すフローチャート
【図１２】ターゲットズーム用の管理ファイルを説明した図
【図１３】ターゲットズーム設定動作を説明した図
【図１４】コピーによるメモ画像の作成動作を示すフローチャート
【符号の説明】
【００７８】
１  レンズ
３  ＣＣＤ（撮像素子）
７  画像処理部
９  マイコン
１１  操作部
１３  液晶モニタ（ＬＣＤ）
１４  ＬＣＤコントローラ
１５  カードスロット
１９  バッファメモリ
２１  フラッシュメモリ
１００  撮像装置
２００  メモリカード
【図１】
2008187226.tif 000003
【図２】
2008187226.tif 000004
【図３】
2008187226.tif 000005
【図４】
2008187226.tif 000006
【図５】
2008187226.tif 000007
【図６】
2008187226.tif 000008
【図７】
2008187226.tif 000009
【図８】
2008187226.tif 000010
【図９】
2008187226.tif 000011
【図１０】
2008187226.tif 000012
【図１１】
2008187226.tif 000013
【図１２】
2008187226.tif 000014
【図１３】
2008187226.tif 000015
【図１４】
2008187226.tif 000016